(57)【要約】【課題】患者頭側の寝台クッションを広くすることで治療に必要なものを置くスペースを確保し、治療の効率化を図るストレッチャを提供する。【解決手段】走行可能な脚部１と、患者を乗せる寝台部２と、脚部１に対して寝台部２を昇降可能に取り付ける昇降装置３と、寝台部２の両側に配置され患者の落下を防ぐサイドフェンス６を備えるストレッチャにおいて、寝台部２の頭部側４ａが、その他の部分４ｂよりも幅方向にはみ出て、サイドフェンス６を含めた幅とほぼ同じかあるいはそれよりも僅かに狭いものとされている。【選択図】図１
2017023186.tif 000002
【特許請求の範囲】
【請求項１】
走行可能な脚部と、患者を乗せる寝台部と、前記脚部に対して前記寝台部を昇降可能に取り付ける昇降装置と、前記寝台部の両側に配置され前記患者の落下を防ぐサイドフェンスを備えるストレッチャにおいて、前記寝台部の寝台クッションの頭部側が、その他の部分よりも幅方向にはみ出て、前記サイドフェンスを含めた幅とほぼ同じかあるいはそれよりも僅かに狭いものとされていることを特徴とするストレッチャ。
【請求項２】
前記寝台部及び前記脚部は、断面矩形状のフレームを有し、該フレームに固定されるクランプ具を介して追加装備が固定され、前記フレームに追加工を施さなくとも様々な追加装備を取り付け可能としたことを特徴とする請求項１記載のストレッチャ。
【請求項３】
前記寝台クッションの頭部側の幅方向にはみ出ている部分が、前記寝台部の長軸方向に対して左右対称形状であることを特徴とする請求項１記載のストレッチャ。
【発明の詳細な説明】
【技術分野】
【０００１】
本発明は、ストレッチャに関する。さらに詳述すると、本発明は、病院内における患者の担送のみならず、担送先においてそのまま各種検査・診断・処置を施すのに好適なストレッチャに関するものである。
【背景技術】
【０００２】
近年、病院内におけるストレッチャには、患者の担送のみならず、担送先においてそのまま各種検査・診断・処置を施すことを可能とすることが求められている。例えば、ストレッチャに載せた救急患者のＸ線撮影も便利良く行なえるストレッチャが提案されている（特許文献１）。また、この種のストレッチャは、担送時に患者が落下したりする危険を回避するため、ストレッチャの患者を乗せる長方形状の寝台クッションの外に、手摺り枠（ 防護柵）などが備えられている。
【先行技術文献】
【特許文献】
【０００３】
【特許文献１】特開２００５−１４４０７０号公報
【発明の概要】
【発明が解決しようとする課題】
【０００４】
しかしながら、病院内における患者の担送を可能とするには、ドアの開口部を通過させるストレッチャとする必要があり、寝台マットレスの大きさも制限される。さらに、ストレッチャの患者を乗せる寝台クッション部分の形状は、通常長方形状であり、その上に長方形状の寝台クッションの外に、手摺り枠（ 防護柵）などが備えられているため、寝台クッション部分が比較的狭いものとなっている。
【０００５】
一方、様々な検査・診断・処置を施すためには、それぞれに適した姿勢や医療用機械器具を患者の周りに配置することが便利な場合が多い。例えば、患者に対して内視鏡治療を行う際は、通常患者を側臥位（横向き寝）にするが、通常患者はストレッチャの幅方向の中央部に仰向けになっており、そこから側臥位にするとストレッチャの幅方向の端部に移動することになる。治療する際には、内視鏡本体のほかに、汚物受けなどの器具を作業者のいる患者の顔側に置く必要があるが、上記理由により患者顔側のスペースは患者を移動させないと狭くなってしまう。
【０００６】
本発明は、患者頭側の寝台クッションを広くすることで治療に必要なものを置くスペースを確保し、治療の効率化を図るストレッチャを提供することを目的とする。
【課題を解決するための手段】
【０００７】
かかる目的を達成するために請求項１記載の発明は、走行可能な脚部と、患者を乗せる寝台部と、脚部に対して寝台部を昇降可能に取り付ける昇降装置と、寝台部の両側に配置され患者の落下を防ぐサイドフェンスを備えるストレッチャにおいて、寝台部の寝台クッションの頭部側が、その他の部分よりも幅方向にはみ出て、サイドフェンスを含めた幅とほぼ同じかあるいはそれよりも僅かに狭いものとされていることを特徴とする。
【０００８】
また、請求項２記載の発明は、請求項１記載のストレッチャにおいて、寝台部及び脚部は、断面矩形状のフレームを有し、該フレームに固定されるクランプ具を介して追加装備が固定され、フレームに追加工を施さなくとも様々な追加装備を取り付け可能としたことを特徴とする。
【０００９】
また、請求項３記載の発明は、請求項１記載のストレッチャにおいて、寝台クッションの頭部側の幅方向にはみ出ている部分が、寝台部の長軸方向に対して左右対称形状であることを特徴とする。
【発明の効果】
【００１０】
請求項１記載のストレッチャでは、寝台クッションは頭部側が左右幅方向にはみ出して（広くなって）いるので、薬品や膿盆、汚物受けなどの治療に使用する器具を患者の頭部の近くに置き易くなる。このため、患者をストレッチャに乗せたままの状態で、病院内を担送し尚且つ必要な処置例えば前処置から診断・処置及び診断・処置終了後の後処置までを施し得る。しかも、寝台クッションの平面形状が前後方向には非対称となるので、どちらが頭側か一見して判断できる。
【００１１】
また、本発明によれば、患者に施す処置、検査などに応じて必要な外科用機械器具など例えば点滴用具、酸素ボンベ、身の回り品を収納するかごなどを装備することができるので、ストレッチャ上に患者を乗せた状態のままの患者の救命措置や、病院内を担送し、検査、その他の処置が効率良く行える。特に患者の口腔からの処置が行い易くなる。また、内視鏡検査などを必要とする場合においても、狭い検査室内でも患者の移動が容易で、患者が内視鏡検査特有の姿勢を容易にとれて患者に負担が少なく、且つ術者及び看護婦などに負担が少なく、効率良く内視鏡下検査が行える。
【００１２】
また、本発明によれば、寝台クッションの頭側が横方向に広くなっていることに加え、クッション面の長軸方向に対して左右対称形状であるので、患者の状態や術者の技量、好みに合わせて使用でき、また治療場所の広さや本品を置く位置が限定される場合（壁際や機器類のそば等）でも左右どちらからでも治療ができる。
【図面の簡単な説明】
【００１３】
【図１】本発明にかかるストレッチャの一実施形態を示す図で、寝台部を高位置まで昇降させた状態を上から見た斜視図である。
【図２】同ストレッチャの寝台クッションと手前側のサイドフェンスを取り外した状態の斜視図である。
【図３】図１に示すストレッチャを下から見た斜視図である。
【図４】同ストレッチャの側面図である。
【図５】同ストレッチャの正面図である。
【図６】同ストレッチャの底面図である。
【図７】同ストレッチャの平面図である。
【図８】同ストレッチャの寝台部を最低位置まで下げ、且つ両サイドフェンスを下げた状態の斜視図である。
【図９】サイドフェンスの軸承部を構成する軸承け部の一実施形態を示す分解斜視図である。
【図１０】サイドフェンスの軸承部を構成する支軸及びフェンス受けの一実施形態を示す斜視図である。
【図１１】追加装備の一例である酸素ボンベホルダの取り付け金具とバスケットとの一実施形態を示す分解斜視図である。
【図１２】酸素ボンベホルダの組み立て状態を示す斜視図である。
【図１３】追加装備の一例であるガートル取付け具の一実施形態を示す斜視図である。
【図１４】追加装備の一例である荷物収納用のかごを追加装備可能とするかご取り付け金具の一実施形態を示す分解斜視図である。
【図１５】追加装備の一例であるフットペダル受けの一実施形態を示す斜視図である。
【発明を実施するための形態】
【００１４】
以下、本発明にかかるストレッチャの構成を図面に示す一実施形態に基づいて詳細に説明する。尚、本明細書において、左右とはストレッチャの幅方向、前後とはストレッチャの長手方向を意味する。
【００１５】
図１〜図１０に、本発明のストレッチャの実施形態の一例を示す。このストレッチャは、走行可能な脚部１と、患者を乗せる寝台部２と、脚部１に対して寝台部２を昇降可能に取り付ける昇降装置３を備えている。
【００１６】
寝台部２は、寝台クッション４と、この寝台クッション４を支える寝台フレーム（担架フレーム）５とで構成されている。寝台部２の最大幅は、ドアの開口部の幅などに合わせて決められることが多い。他方、サイドフェンス６を備えるストレッチャでは、このサイドフェンス６の部分を含めて寝台部２の最大幅が決まる。そこで、寝台クッション４の頭部側４ａは、図１及び図７に示すように、その他の部分４ｂよりも幅方向にはみ出るように形成されて、サイドフェンス６を含めた幅とほぼ同じかあるいはそれよりも僅かに狭いものとされている。好ましくは、ドアの開口部で引っ掛からないように設定されているサイドフェンス６の部分の幅よりもさらに僅かに内側となるように狭めに設定されている。
【００１７】
本実施例の場合、寝台部２・寝台クッション４の頭部側４ａの幅は、左右のサイドフェンス６に挟まれている部分の幅に比べて広く、例えば左右のサイドフェンス６間の寝台クッションの幅５９０ｍｍに対して７００ｍｍとおおよそ２０％程度広く、それはサイドフェンス６に達するまでの間例えば長さ４４０ｍｍにわたって維持されている。本実施形態の場合、寝台クッション４の頭部側４ａの幅方向にはみ出ている部分は、寝台部２の長軸方向に対して左右対称形状（片側で幅５５ｘ長さ４４０ｍｍ）に形成されているが、これに特に限られるものではなく、場合によっては片側にのみはみ出させるようにしても良い。この寝台部２の頭部側４ａのはみ出た部分の幅及び長さは、前述のものに限定されるものではなく、ドアの開口部を通過できる範囲で可能な限り広く長くすることが好ましい。例えば、移動時におけるストレッチャーの最大幅であるサイドフェンス部の寸法と同じ、また長さ方向は転落防止のサイドフェンス６付近までとして、上から見た際の最大寸法を変化させずにできるだけ広い面積にすることが好ましい。このように頭側を幅広くすることにより、例えばストレッチャー上で内視鏡検査などを行う際に汚物受け等の器具を置くスペースを確保することができて便利である。
【００１８】
これにより、寝台クッション４の平面形状が前後方向には非対称となるので、どちらが頭側か一見して判断できることとなる。また、寝台クッション４の患者の頭部付近に幅方向にはみ出た膨出部分（サイドフェンス６で実質的に規制される患者の身体が載せられる部分よりもはみ出た部分）４ａが設けられるので、患者の頭部付近に薬品や膿盆などを置くスペースが確保される。
【００１９】
ここで、寝台フレーム５は、撓み難い構造とするため、図２に示すように、断面係数が大きくなる縱長の矩形パイプで構成される左右一対の縱フレーム５ａと、これらを前後及び中程の３箇所で連結する３本の角パイプから成る横連結杆５ｂ，５ｃと、頭部側で左右の縱フレーム５ａ間に跨がるように配置されて寝台クッション４から外にはみ出る丸パイプから成るＵ形のハンドル５ｄと、縱フレーム５ａと直交するように側方へ突出し寝台クッション４の横にサイドフレーム６を取り付けるための角パイプから成るステー５ｅとを含んで構成され、相互に溶接付されている。
【００２０】
脚部１は、縱長となる矩形断面の左右一対の縱フレーム７ａとこれらを前後端で連結する横パイプ７ｂとで相互に連結してなる脚フレーム７と、脚フレーム７の四隅に備えられたキャスタ８とで構成され、脚フレーム７がキャスタ８によってある程度の高さに持ち上げられている。本実施形態では四輪ともキャスタ８を使用し旋回可能にしているが、必ずしも四輪全てを旋回可能なキャスタにする必要はない。しかしながら、本実施形態の場合には、狭いスペースでの移動をスムーズに行えるように４つの車輪の全てを水平旋回可能なキャスタ８にして進行方向を変更し易くしている。しかし、４つのキャスタ８の全てが回転自在であるため、直進させる際、スムーズに直進できなくなるという不具合が発生することもある。そこで、本実施形態では、脚フレーム７に対して「自由に回転」、「方向のみ固定（旋回ロック）」、「キャスタ８の回転も固定」の３つの状態に切り換えられる切り替え式キャスタを用い、これらの状態切り替えを、トータルロックペダル９と連係する図示していない内蔵シャフトを回転させることによって行えるようにしている。
【００２１】
ここで、内蔵シャフトの回転は、トータルロックペダル９及びペダル１３と連動する連結シャフト１０の回転によって行われる。連結シャフト１０にはそれぞれレバー１２が固着され、さらにレバー１２同士がシンクロシャフト１１によって回転自在に連結されている。そして、ペダル１３が装備されているキャスタ８とは反対側のキャスタ８の連結シャフト１０にはトータルロックペダル９が備えられている。トータルロックペダル９は、ストレッチャを移動させるために押している人が踏むことのできる位置に配置されている。トータルロックペダル９は、水平位置にすると、全キャスタ８が「方向転換・回転が自由」となり、下に踏むと全キャスタ８が「方向転換・回転の双方が固定」であり、上に上げると患者足側の２輪（ペダル13のある側）は自由に回転し、患者頭側の２輪（トータルロックペダル9のある側）は方向転換のみ固定になるように切り替えられる。トータルロックペダル９の動きは、連結シャフト１０の回動となってレバー１２を回動させる。
【００２２】
昇降装置３は、図３に示すように、脚フレーム７の一部を構成し脚フレーム７の前方と後方とで上方へ向けて起立し固定節となる下部リンク受け１４と、この前後の下部リンク受け１４の頂部にそれぞれ回転自在に取り付けられて揺動する昇降アーム１５と、前後の昇降アーム１５の上端を相互に回転自在に連結する寝台フレーム５の一部を構成し寝台フレーム５の前方と後方とで垂下する固定節となる上部リンク受け１６とで構成される四節回転連鎖と、寝台フレーム５といずれか一方の昇降アーム１５との間に配置されて四節リンク機構を下部リンク受け１４を中心に揺動させる昇降用アクチュエータ１７並びに寝台フレーム５といずれか一方の昇降アーム１５との間に配置されて昇降アーム１５を起こす方向即ち寝台フレーム５を上昇させる方向に弾発力を常時付勢するガススプリングなどの付勢手段１８を備えて成る。昇降用アクチュエータ１７と付勢手段１８との併用によって、昇降用アクチュエータ１７による寝台フレーム５の上昇を付勢手段１８によって補助することができるので、その分だけ推力の小さな昇降用アクチュエータ１７を使用することが可能になる。そのため、小型のアクチュエータを採用することが可能となり、昇降装置を小型化、軽量化することができる。因みに、下部リンク受け１４と上部リンク受け１６は鉛直に設けられ、寝台フレーム５の上に載せられる寝台クッション４は水平に設けられている。
【００２３】
本実施形態では、左右の昇降アーム１５の上端側は連結杆２０，２２が溶接などで固着されることによって同期回転するように設けられている。具体的には、左右の昇降アーム１５の上端に連結杆２０が溶接付されると共に、該連結杆２０を介して上部リンク受け１６に回転自在に軸支される一方、昇降アーム１５の上端よりも僅かに下の方にも連結杆２２が溶接付されている。そして、例えば東部側の昇降アーム１５の上の連結杆２０と下の連結杆２２との間に、２組のＬ形のクランク２１の一辺が跨がるように並べて配置されて溶接付されており、それぞれのＬ形クランク２１の自由端側に昇降用アクチュエータ１７と付勢手段１８の先端（ロッド側）が取り付けられている。他方の昇降アーム１５にも、上下の連結杆２０，２２が溶接付されると共にＬ形クランク２１が跨がるように溶接付されると共に、昇降用アクチュエータ１７と付勢手段１８とを連結した前側のＬ形クランク２１の自由端と前後方向に延びるシンクロシャフト１９によって回動自在に連結されている。したがって、昇降用アクチュエータ１７と付勢手段１８の動きによって、前後の昇降アーム１５が連動する。
【００２４】
下部リンク受け１４を含む脚フレーム７と上部リンク受け１６を含む寝台フレーム５と、互いに平行に配置される２本の昇降アーム１５とによって構成される四節リンク機構は平行運動機構である。したがって、昇降用アクチュエータ１７が昇降アーム１５を下部リンク受け１４の連結軸２３を中心に揺動させることにより四節リンク機構を立てたり寝せたりして寝台フレーム５を傾けずにスイングするように昇降させ得る。本実施形態では、下部リンク受け１４は脚部１の脚フレーム７の縱フレーム７ａ同士を連結する前後の横連結パイプ１０に溶接付などで直接固定されており、上部リンク受け１６は寝台フレーム５の縱フレーム５ａの内側面にボルト止めなどで締結されている。
【００２５】
平行に配置された前後２組（計４本）の昇降アーム１５は、互いに下部リンク受け１４の回転中心（連結回転軸２３）を通る水平面を基準にほぼ均等に、例えば上に４５°、下に５５°の傾きとなった時点でストロークエンドを迎えるように揺動範囲が設定されており、Ｙ方向移動成分（鉛直方向移動成分）の大きさに比べてＸ方向移動成分（水平方向移動成分）が極めて少なくなるようにされている。したがって、寝台部２は僅かに前後方向にスィングするようにして昇降し、最低位置と最高位置とで水平方向の位置はほとんど変化しない。そのため、昇降に伴う寝台フレーム５の水平移動量を小さくすることができ、診察時等の使い勝手を良くすることができると共に、壁際への設置が可能になって、この点からも使い勝手を良くすることができる。
【００２６】
本実施形態の昇降用アクチュエータ１７は寝台フレーム５の横連結フレームの１つ例えば中央に配置された横連結フレーム５ｃと頭部側の昇降アーム１５の一部を構成するＬ形リンク２１の自由端との間に設けられている。ただし、昇降用アクチュエータ１７を設ける位置はこれに限られず、昇降アーム１５を上下に揺動させることができればその他の位置に設けても良い。例えば、脚フレーム７と昇降アーム１５との間に昇降用アクチュエータ１７を設けても良い。また、本実施形態では昇降用アクチュエータ１７として電動シリンダを使用しているが、これに限られず、例えばガス圧シリンダ、油圧シリンダ等を使用しても良い。昇降用アクチュエータ１７はフットスイッチ２４及び図示しないリモコンスイッチによって操作される。
【００２７】
また、本実施形態では付勢手段１８としてガススプリングを使用しているが、これに限られない。しかしながら、付勢手段１８としてガススプリングを使用する場合には、特別の電源等を必要とせずに昇降用アクチュエータ１７による寝台フレーム５の上昇をアシストすることができる。しかも、電源喪失や故障等などにより昇降アクチュエータ１７が機能しなくなっても、付勢手段１８が寝台フレーム５を上昇させる方向の弾発力を常時発揮しているので、寝台部２の急激な落下を防止することができる。そのため、安全性をより向上させることができる。尚、付勢手段１８は、本実施形態では寝台フレーム５を上昇させる方向に弾発力を発揮するように設けられており、付勢手段１８を寝台フレーム５の下降時に押し縮めるようにし、寝台フレーム５の上昇時に付勢手段１８が伸びようとする力を利用する。
【００２８】
また、本実施形態では昇降用アクチュエータ１７として電動シリンダを採用している。電動シリンダは推力の大きさと動作速度とが反比例する性質を有しているので、推力の小さなものを採用することで動作速度を大きくすることができ、寝台フレーム５の昇降スピードを速めることができる。そのため、ストレッチャの使い勝手がより良くなる。尚、図中の符号７５は昇降用アクチュエータ１７のコントローラ、７４はバッテリーである。
【００２９】
ストレッチャの側方には、図１に示すように、寝台部２の幅方向外側に向けて回転するサイドフェンス６が設けられている。このサイドフェンス６は、寝台フレーム５の縱フレーム５ａに沿う支軸２６を介して回転可能に取り付けられ、支軸２６を中心とする回転により、患者搬送時には上に向けて寝台クッション４の両側に迫り出させて患者の落下などを防ぎ、検査時や処置時、診察時などには下に向けることにより寝台クッション４よりも低い位置に吊り下げられ、横にしてベッドなどの他の設備に渡しかけることで患者の移乗を補助するためのものである。
【００３０】
本実施形態の場合、サイドフェンス６は、軸承部２５を介して寝台フレーム５から側方に突出するステー５ｅに回転自在に取り付けられている。軸承部２５は、サイドフェンス６側に固定される支軸２６と、寝台フレーム５側に固定される軸受部２７とで構成されている。
【００３１】
サイドフェンス６側の支軸２６は、図１０に示すように、サイドフェンス６の外壁面と内壁面とを挟み締結手段の貫通により固定されるＵ形のフェンス受け２８に固着されて一体化され、一部がフェンス受け２８よりも外でストレッチャの前後方向に突出するように設けられ、軸受部２７の軸受部材３０に嵌入されて回転自在に支持される。尚、ロック機構を備える側の軸承部２５に支持される支軸２６のロックピンホルダ３１と対向する端面には、ロックピン３２のガイド軸３９及び閂ピン３８が差し込まれるセンター孔４０と凹部３４とが設けられている。
【００３２】
他方、寝台フレーム５側に固定される軸受部２７は、図９に示すように、寝台フレーム５の角パイプから成るステー５ｅを三方から挟むようなコの字形の支持部材２９と、支持部材２３に取り付けられた例えば円筒形の軸受部材３０より構成されている。本実施形態の場合、軸受部２７は、コ形の支持部材２９をステー５ｅに宛がった状態で、図示しないねじ等の締結手段をビス孔３５を通して図示しないステー５ｅ側のねじ孔にねじ込むことによって、ステー５ｅに固定されている。
【００３３】
軸承部２５に組み込まれるロック機構は、軸受部２７の内部に収納されるロックピンホルダ３１と、サイドフェンス６の支軸２６の端面に形成された凹部３４及びセンター孔４０と、支軸２６の端面の凹部３４に向けて出入りするロックピン３２と、軸受部２７から突出するロックピン３２の端部に装着されるノブ３３とで構成され、ロックピン３２をノブ３３を掴んで出入りさせるように設けられている。ロックピンホルダ３１は、例えば中心にロックピン３２のガイド軸３９を通す貫通孔（センター孔）３６が設けられる円形の軸形状を成し、貫通孔３６の周辺にはロックピン３２の閂ピン３８を収納する盲孔３７が例えば１８０°間隔で２箇所設けられている。他方、ロックピン３２は、摺動のガイドとなるガイド軸３９を中心に備え、その周辺に例えば１８０°間隔で２箇所の閂ピン３８が平行に配置されている。ロックピン３２は、ロックピンホルダ３１の盲孔３７に閂ピン３８を引き入れることにより、サイドフェンス６の支軸２６の端面の凹部３４から離脱（抜去）させて、支軸２６と軸受部２７との接続を解除する。したがって、支軸２６、換言すればサイドフェンス６は自由に回転できる。他方、ロックピン３２をロックピンホルダ３１の端面から突出して支軸２６の凹部３４に差し込めば、軸受部材３０に固定されているロックピンホルダ３１と支軸２６との間にロックピン３２の閂ピン３８が跨がって配置されることで、支軸２６の回転を拘束する。したがって、支軸２６、換言すればサイドフェンス６は固定され自由に回転できなくなる。このサイドフェンス６の固定は１８０°間隔で行われるので、サイドフェンス６を起立させた時と、吊り下げた時の２箇所で固定されるように設けられているが、場合によっては、２箇所以上あるいは１箇所においてのみ固定できるようにしても良い。尚、軸受部材３０とロックピンホルダ３１とは、例えば周面を貫通する孔４１，４２を備え、該孔４１，４２にボルト等の締結手段（図示省略）をねじ込むことによって相互に連結されて回転不能に取り付けられている。
【００３４】
尚、本実施形態の場合、ロックピンホルダ３１を貫通したスライド軸の端部に設けたグリップ３３を操作して、手動によりサイドフェンス６のロック・アンロックを図るようにしているが、ロックピンの自動嵌入を可能とするため、スライド軸２０を軸受部材２７に向けて常時付勢するリターンスプリング（図示省略）を設けるようにしても良い。また、軸承部２５の支軸２６と軸受部２７との関係は上述のものに限定されず、ロック機構の構造についても上述のものに限定されない。
【００３５】
サイドフェンス６は、寝台部２の側方に配置され、寝台部２の側縁に沿って配置された支軸２６・軸承部２５を中心に寝台部２の幅方向に翻転自在に支持されている。このサイドフェンス６は、本実施形態の場合、概略台形状を成し、前後端並びに中間部位には手を通すことができる長孔４４，４５が形成されている。この長孔４４，４５は、手を通すことでサイドフェンス６を把持することができる取っ手として機能する。特に、サイドフェンス６の前後端の長孔４４は、Ｌ形の透孔であり、手を通してストレッチャの前後方向にサイドフェンス６を引っ張れるように設けられている。また、サイドフェンス６の起立させたときに内側となる面には、鉛直方向（サイドフェンス６を水平・横にしたときにストレッチャの幅方向）の長溝４３が形成されている。これは、サイドフェンス６上を滑らせて患者を移乗させる際に滑り易くするためのものである。  
【００３６】
尚、本実施形態では、寝台の両側に患者の身体の大半をカバーする長さの一対のサイドフェンス６が設けられているが、場合によっては、分割された複数対のサイドフェンス６を備えるようにしても良い。また、本実施形態ではストレッチャとベッドとの間の移乗を容易にするため、サイドフェンス６を板状にしているが、これに特に限られるものではなく、場合によっては例えば、枠状、網状等でも良い。
【００３７】
以上のように基本構造が構成されたストレッチャによれば、フレームに特別な追加工を施さなくとも、様々な追加装備・オプションが取り付けられる。
【００３８】
例えば、図２や図５、並びに図１１及び図１２に示すように、患者の頭部側の寝台クッション４の下に酸素ボンベホルダ４６を追加装備することが可能である。この酸素ボンベホルダ４６は、本実施形態では、寝台フレーム５の縱フレーム５ａに引っ掛けられるかぎ爪部を両端に有する取付け金具を介して酸素ボンベ（図示省略）を収めるバスケット５５を寝台フレーム５に特別な加工を施すことなく、後付けで装備するようにしている。尚、本実施形態では、需要の多い酸素ボンベを収納する例を採り上げて酸素ボンベホルダという名称にしているが、酸素ボンベに限られず、必要に応じてその他のガスを充填した各種ボンベ類を収容するようにしても良いことは言うまでもない。
【００３９】
取付け金具は、例えば、図１１に示すように、一端にかぎ爪部４７を有する寝台フレーム５の幅一杯の長さの細長い板状の取付け金具本体５４と、取付け金具本体５４の他端側にかぎ爪部４７と対向させて取り付けられるかぎ爪片４８と、これらを締結するビスなどの締結手段５１とで組み付け・分解可能に構成されている。取付け金具本体５４は、寝台フレーム５の一方の縱フレーム５ａに引っ掛けられるかぎ爪部４７を一端に有し、他端側に分離したかぎ爪片４８を連結するかぎ爪片固定部４９を有し、かぎ爪片固定部４９にビス止めされるかぎ爪片４８とを組み合わせて、寝台フレーム５の左右の縱フレーム５ａをかぎ爪部４７とかぎ爪片４８とで挟み付けるように締め付けて固定するものである。ここで、かぎ爪片固定部４９は、僅かに外側に開いており、かぎ爪片４８を締結して締め付ける際に、先端側ほど内側に傾斜して締め付け力を増すように設けられている。尚、図中の符号５０は雌ねじが切られたねじ孔である。勿論、取付け金具は、場合よっては、両端にかぎ爪部を備える一体形の金具としても良い。
【００４０】
取付け金具本体５４には、いずれか一端側寄りに幅方向に長いスリット５２と、酸素ボンベを収容するバスケット５５を固定するための雌ねじあるいはビス６０を通すための孔５９が設けられている。他方、バスケット５５は、円環を短冊状の帯板で連結して底を設けたボンベ類を収容するかごであり、中程に本体のスリット５２に挿入されて引っ掛けられる（スリット５２と直交・交差する切り欠き５７を有する）フック５３と、取付け金具本体５４に当接して酸素ボンベを傾けた状態で保つストッパ５８とを有する。そして、取付け金具本体５４のスリット５２にバスケット５５のフック５３を鉛直方向に挿入してから水平方向にスライドさせることで、取付け金具本体５４のスリット５２の縁を切り欠き５７に差し込むことで鉛直方向に係合させ、バスケット５５を取付け金具本体５４に吊り下げるようにしている。尚、本実施形態では、図示していないが、寝台クッション４の芯材となる合板に予め凹みをつけておけば、取付け金具本体５４のかぎ爪部４７とかぎ爪片４８とを寝台フレーム５の縱フレーム５ａと寝台クッション４との間に差し込む際に、かぎ爪部４７及びかぎ爪片４８の逃がしとなって、フレーム側に変形部分を持たせなくて済む。
【００４１】
したがって、取付け金具本体５４の一端のかぎ爪部４７を寝台フレーム５の縱フレーム５ａと寝台クッション４との間に差し込むようにして縱フレーム５ａに引っ掛ける一方、他端側のかぎ爪片固定部４９に締結用ねじ５１で仮止めされているねじ爪片４８を反対側の縱フレーム５ａと寝台クッション４との間に差し込んでから、締結用ねじ５１を締め付けてねじ爪片４８を取付け金具本体５４に固定することによって、取付け金具本体５４の寝台フレーム５への装着を完了する。次いで、バスケット５５のフック５３を取付け金具本体５４のスリット５２に差し込んでから寝台部２の幅方向にスライドさせてフック５３の切り欠き５７にバスケット５５を係合（噛み合わせ・組み合わせ）させる。この状態でバスケット５５から手を離せば、重心の関係でバスケット５５の挿入口側が上になるように回動し、ストッパ５８が取付け金具本体５４に当接して一定間隔を保つ。このストッパ５８と取付け金具本体５４とを孔５９にビス６０を通して締結する。この状態ではバスケット５５は上向きに傾斜しているので、酸素ボンベを装入しても、底まで落ちて安定支持される。尚、符号５６は酸素ボンベを固定するためのグリップ付き押しボルトである。
【００４２】
しかして、寝台部２の幅からはみ出ないようにして、患者の頭側に酸素ボンベを装備することができる。この酸素ボンベの向きは、取り付け金具の取り付け向きや位置を自在に変更できるので、ユーザーの好みでどちら向きに取り付けることも自由である。また、酸素ボンベホルダ４６は、かぎ爪部４７とかぎ爪片４８とで寝台フレーム５の立てフレーム５ａに引っ掛けて両側から内側に向けて１箇所のねじ５１を締め込むことで寝台フレーム５に簡単に固定することができる。
【００４３】
他方、脚フレーム７は、撓み難い構造とするため、断面係数が大きくなる縱長の矩形断面の縱フレーム７ａと、これら左右一対の縱パイプ７ａ同士を前後端附近で相互に連結する横パイプフレーム７ｂとで構成されている。この矩形断面の縱フレーム７ａには、クランプ治具を使って、他に追加工を必要とすることなく、後付けでオプション機器を装着可能な構造としている。
【００４４】
例えば、脚フレーム７には、必要に応じて荷物収納用のかご（以下、単にかごと呼ぶ）６６を追加装備することが可能である。本実施形態では、図１及び図１４に示すように、脚部１にかご６６が脚フレーム７の左右の縱フレーム７ａ間に引っ掛けられている。このかご６６は、例えばワイヤ製かごであり、かご取り付け金具を介して脚フレーム７の縱フレーム７ａの任意の位置にワイヤの一部６６ａを固定することによって着脱可能に固定されている。かご取り付け金具は、縱フレーム７ａに固定されるＣ形クランプ（器具などを他の物に固定するための、ねじのついたコ形の金具）から成るクランプ本体６７と、かご６６の縁から幅方向に張り出したワイヤ６６ａを脚縱フレーム７ａの上に押えつける蛙股状のアダプタ片６８とで構成されている。Ｃ形クランプ本体６７は、先端側が二股状に分岐しており、アダプタ片６８を介してかご６６の一部のワイヤ６６ａを押さえつけて固定する。本実施形態では、製造上の便宜でクランプ本体６７とアダプタ片６８との別部材に構成し、その後ビス止めあるいは溶接などで一体化しているが（あるいは別部材としてそのまま使用することも可能であるが）、場合によっては予めプレス成形などでクランプ本体６７と共に、蛙股状（あるいはアーチ状）のかご６６のワイヤ６６ａを押さえつける部分とを一体成形しても良い。
【００４５】
ワイヤ製かご６６には、例えば脚縱フレーム７ａを横断するように水平方向幅方向に張り出した固定用のワイヤ軸６６ａが前後左右に４本備えられている。そして、この４本の軸６６ａをアダプタ片６８の山形の凹部に嵌め込んでからクランプ本体３７を縱フレーム７ａに固定することで、ワイヤ製かご６６を前後左右に移動しないように固定される。因みに、荷物収納かご６６としてワイヤ製かごを用いているが、これに特に限られるものではなく、プラスチック製などの他の素材によるかごでも良いこと言うまでもない。プラスチック製かごなどを用いる場合には、かごを固定するための軸６６ａや縁を備え、これをクランプで固定することが望まれる。
【００４６】
尚、本実施形態の場合、昇降装置３の駆動源とするアクチュエータ１７は寝台フレーム５側に据え付けられているので、脚フレーム７の前後の横パイプ７ｂの間には空きスペースを作り出すことができ、この空きスペースを利用してかご６６を取り付けることができる。そして、空きスペースの範囲内でかご６６の位置を自在に移動させ、任意の位置で固定させることができる。これにより使い勝手の良いかご６６とすることができる。
【００４７】
また、本実施形態の寝台部２には、必要に応じてガートル棒（点滴袋などを支える支柱）を支えるガートル取付け具６１を追加装備することが可能である。例えば、図2，図４並びに図１３に示すように、サイドフェンス６を支持するために寝台フレーム５から側方に突出しているステー５ｅを利用して、ガートル取付け具６１を寝台フレーム５に後加工を施すこと無く、装着することができる。
【００４８】
寝台フレーム５のサイドフェンス６を支持するためのステー５ｅは、角形のパイプで構成されており、サイドフェンス６側の軸承部２５の支持部材２９を嵌合させることでサイドフェンス６を回転不能に支持させるように設けられている。このとき、少なくとも寝台部２の頭部側においては、サイドフェンス６の支持部材２９とステー５ｅとの嵌合が約半分程度とされ、ステー５ｅの一部例えば半分程度が露出している状態とされている。この露出しているステー５ｅ部分を利用してガートル取付け具６１が寝台フレーム５への追加加工・後加工無しで装着可能とされている。ガートル取付け具６１は、寝台フレーム５に対する取り付けが片持ち支持構造となるが、ステー５ｅが角パイプであるため、二股部６２ｂで締め付けることで回転することがない。
【００４９】
ガートル取付け具６１は、図１３に示すように、ガートルパイプ６３と支持部材６２及びガートルパイプ６３に装入する図示していないガートル棒を固定するグリップ付き押しボルト６４とから成り、支持部材６２の先端はステー５ｅを上下から挟みつける二股状に形成されている。支持部材６２は、板材をコ形に折り曲げられたものであり、ガートルパイプ６３に基部が溶接付けされると共に、先端側の側壁の一部が内側に向けて切り起こされてステー５ｅの側面に当接して嵌め込み深さを一定にするストッパとして機能するストッパ部６２ａが備えられる一方、上下壁がステー５ｅを上下から挟みつける二股部６２ｂを形成する。したがって、ストッパ部６２ａに突き当たるまで支持部材６２をステー５ｅに挟み込んでから、ステー５ｅを乗り越えた位置で二股部６２ｂの孔６５に図示していない締結用のボルトを通して締め付けることで、ステー５ｅを支持部材６２の二股部６２ｂで挟持して寝台フレーム５に追加工無しで後付けするようにしている。
【００５０】
このステー５ｅの露出部分即ちガートル取付け具６１を装着する部分は、少なくとも寝台クッション４の頭部側４ａに設けることが好ましく、より好ましくは頭部側４ａの左右両側に設けることである。頭部側４ａの左右両側にガートル取付け具６１を装着可能とすることにより、医者、看護師、検査技師などが処置し易い位置に点滴などを吊り下げることができる。尚、本実施形態の場合、サイドフェンス６を取り付ける頭部側４ａの左右両側のステー５ｅにガートル取付け具６１を取り付け可能としているが、サイドフェンス６を取り付ける各ステー５ｅ毎にガートル取付け具６１を取り付け可能として検査や治療、処置などにおける必要に応じて患者の頭部附近及び／または大腿部のいずれか一方または双方にそれぞれ点滴ホルダーを取り付け可能としても良い。
【００５１】
また、図示していないが、ストレッチャの頭部側には、患者の頭の位置を設定する枕を用意しても良い。この場合には、例えば、枕の裏面に平面ファスナの一方を貼付すると共に、平面ファスナの他方を寝台クッション４あるいは寝台フレーム５側に取り付けるベルトに貼付して、平面ファスナを貼り合わせることで寝台クッション４の上に枕を固定するようにしても良い。この場合、様々な体型の患者に対して、より自然な頭部位置になるように枕の位置の設定を変更することができるので、患者にとって快適な検査・診察・処置環境になる。
【００５２】
また、脚フレーム７の縱フレーム７ａには、必要に応じて昇降装置３の昇降用アクチュエータ１７の動きを制御するフットスイッチ２４を載せるフットペダル受け７０を追加装備することが可能である。このフットペダル受け７０は、矩形断面の縱フレーム７ａに跨がるように引っ掛けられるクランプ具７１と該クランプ具７１を縱フレーム７ａに固定するグリップ付き押しボルト７３と、クランプ具７１に吊り下げられたフットスイッチ受け７２とで構成されている。クランプ具７１は、例えば縱フレーム７ａの上面と外側の側面と内側の側面の一部に宛がわれる逆Ｌ形の金具であり、フレーム側に後加工することなく、フットスイッチ受け７２を必要に応じて必要な箇所にセットすることができる。尚、本実施形態においては、グリップ付き押しボルト７３を縱フレーム７ａの内側に配置することによって、ストレッチャの周囲で動き回る人の足に当たらないように配慮されている。また、フットスイッチ受け７２についても、縱フレーム７ａよりも内側に引き込まれるように折り曲げられた２本のワイヤによって吊られ、脚フレーム７から大きく突出しないようにされている。
【００５３】
従って、フットペダル受け７０は、 単純にフレーム７ａに引っ掛けるだけで取り付けうる。フットスイッチ２４は電動昇降装置の昇降を制御するためのものである。このフットペダル受け７０は、オプションとして用意し、ストレッチャの昇降を行うためだけに使用するものである。
【００５４】
以上のように構成されたストレッチャによれば、患者の頭部回りに膿盆や点滴ポール、酸素ボンベなどを備えることができるので、患者の救命措置や検査、その他の処置が、特に患者の口腔からの処置が行い易くなる。
【００５５】
また、患者を病院内で担送中にストレッチャの進行方向を変更する場合、進行方向側のキャスタ８の向きを希望する方向に向けてストレッチャを振って向きを変えなければならないが、サイドフェンス６の端のＬ形の透孔４４に手を通してサイドフェンス６の端を握り手としてハンドル５ｄの操作と共に力をキャスタ８側方に入れることでキャスタ８の向きを変える際の力を入れ易くなるので、ストレッチャの移動と進路変更をスムーズに行うことができる。このことにより、ストレッチャを移動させる際の労力が大幅に軽減される。特に、患者を載せたままの状態で、廊下を曲がる際などに、小回りがし易いので立ち往生することが少なくなる。このことは、女性看護師一人で行うことが多いストレッチャの移動作業において特に、非常な重労働を強いることが少なく、簡単に方向変更を行い得るようにして、労力の軽減を図ることを可能とする。
【００５６】
サイドフェンス６を回転させて垂れ下げることにより、寝台クッション４と同じ高さで患者の側方あるいは背後から検査や、診察、処置などを施すことができる。例えば、横向きに寝させた患者の臀部を露出させて内視鏡姿勢をとれるので、患者に転落する危険性なくして内視鏡検査をスムーズに行うことができる。さらに、サイドフェンス６を垂れ下げた状態で寝台部２を下げると、寝台部２の上方並びに側方に突出するものがなくなるので、収納する時の高さ方向並びに幅方向に場所を取らなくて済む。即ち、スペースが少ない処でも収納することができる。
【００５７】
また、寝台クッション４の平面形状が前後方向には非対称となるので、どちらが頭側か一見して判断できる。したがって、ストレッチャ上に患者を乗せた状態では、寝台クッション４の患者の頭部付近に幅方向にはみ出た膨出部分（サイドフェンス６で実質的に規制される患者の身体が載せられる部分よりもはみ出た部分）４ａが配置されるので、薬品や膿盆などを置くスペースが確保される。したがって、患者をストレッチャに乗せたままの状態で、病院内を担送し尚且つ必要な処置例えば前処置から診断・処置及び診断・処置終了後の後処置までを施し得る。
【００５８】
なお、上述の形態は本発明の好適な形態の一例ではあるがこれに限定されるものではなく本発明の要旨を逸脱しない範囲において種々変形実施可能である。
【符号の説明】
【００５９】
１  脚部
２  寝台部
３  昇降装置
４  寝台クッション
４ａ  頭部側
４ｂ  頭部以外の部分
５  寝台フレーム
５ａ  縱フレーム
５ｅ  サイドフェンスを取り付けるためのステー
６  サイドフェンス
７  脚フレーム  
７ａ  縱フレーム
８  キャスタ
４６  酸素ボンベホルダ
６１  ガートル取付け具
７０  フットペダル受け
【図１】
2017023186.tif 000003
【図４】
2017023186.tif 000004
【図５】
2017023186.tif 000005
【図６】
2017023186.tif 000006
【図７】
2017023186.tif 000007
【図８】
2017023186.tif 000008
【図２】
2017023186.tif 000009
【図３】
2017023186.tif 000010
【図９】
2017023186.tif 000011
【図１０】
2017023186.tif 000012
【図１１】
2017023186.tif 000013
【図１２】
2017023186.tif 000014
【図１３】
2017023186.tif 000015
【図１４】
2017023186.tif 000016
【図１５】
2017023186.tif 000017